(57)【要約】【課題】スライド操作により使用位置にセットし得る長尺ノズル付噴射ボタンを提供する。【解決手段】噴射ボタン本体１０の両側の側面をカバーする両側の側壁部２２を備えたカバー体２０が、容器頭部に装着される。噴射ボタン本体１０に、中心流路部１１の上端の前後に形成されて前後方向に延び、かつ中心流路部１１に連通して後端が閉鎖されたガイドパイプ１５が形成される。長尺ノズル３０が、ガイドパイプ１５にスライド可能にガイドされるスライドパイプ３３と、このパイプの先端部に先端部が連結されてスライドパイプ３３に沿って延在することにより、噴射ボタン本体１０の上面部をカバーし、かつスライド可能に側壁部２２にガイドされたスライド操作片３５とを備える。その前方へスライド操作により、スライドパイプ３３が連動して使用位置にセットされると共に、上面部が開放されて押下げ操作可能となり、ガイドパイプ１５及びスライドパイプ３３を経由して噴射口３１から噴射が行われる。【選択図】　　　　　図１
2004051171.tif 000002
【特許請求の範囲】
【請求項１】
容器頭部から突出する吐出パイプに基端部で嵌着する縦方向の中心流路部が内部に形成された噴射ボタン本体に、不使用時には容器側に格納され、使用時には容器周面から前方へ突出する使用位置にセットされる長尺ノズルが付設されることにより、噴射ボタン本体の押下げ操作により内容物を長尺ノズル先端の噴射口から前方へ噴射を行う長尺ノズル付噴射ボタンにおいて、
噴射ボタン本体の両側の側面をカバーする両側の側壁部を備えたカバー体が、容器頭部に装着され、
前記噴射ボタン本体に、中心流路部の上端の前後に形成されて前後方向に延び、かつ前記中心流路部に連通して後端が閉鎖されたガイド溝が形成され、
長尺ノズルが、前記ガイド溝にシール状態でスライド可能にガイドされるスライドパイプと、先端部が前記スライドパイプの先端部に連結されて前記スライドパイプに沿って延在することにより、前記噴射ボタン本体の上面部をカバーし、かつ前後方向へスライド可能に前記側壁部にガイドされたスライド操作片とを備え、
このスライド操作片が前方へスライド操作されると、前記スライドパイプが連動して使用位置にセットされると共に、前記上面部が開放され、この上面部が押下げ操作されると、前記中心流路部、前記ガイド溝及び前記スライドパイプ内を経由してその先端の噴射口から噴射が行われることを特徴とする長尺ノズル付噴射ボタン。
【請求項２】
ガイド溝に、中心流路部の先端から前記ガイド溝の後端部分に連通する流路が形成されていることを特徴とする請求項１記載の長尺ノズル付噴射ボタン。
【請求項３】
噴射ボタン本体が、カバー体にインテグラルヒンジ部を介して連結された揺動式であることを特徴とする請求項１又は請求項２記載の長尺ノズル付噴射ボタン。
【請求項４】
噴射ボタン本体が、カバー体に対して分離されている昇降式であることを特徴とする請求項１又は請求項２記載の長尺ノズル付噴射ボタン。
【発明の詳細な説明】
【０００１】
【発明の属する技術分野】
本発明は、容器頭部から突出する吐出パイプに基端部で嵌着する縦方向の中心流路部が内部に形成された噴射ボタン本体に、不使用時には容器側に格納され、使用時には容器周面から前方へ突出する位置にセットされる長尺ノズルが付設されたエアゾール容器或いはポンプ付き容器用の長尺ノズル付噴射ボタンに関するものである。
【０００２】
【従来の技術】
この種の長尺ノズル付噴射ボタンとしては、長尺ノズルの基端部をロータリカップリングを介して噴射ボタンに連結して、容器周面に沿った格納位置から前方の使用位置へロータリカップリングにより回動させるもの、またその際実開平５−７３６６号公報により、長尺ノズルを使用しない格納位置では長尺ノズルを経由することなく、通常通り前方へ噴射させるように、噴射モードをロータリバルブを介して切換えるのも周知である。
【０００３】
しかしながら、このような長尺ノズルの場合、液漏れを配慮した回転部分の構成が必要である。そこで、実公昭５８−２１５５５号公報によれば、長尺ノズルの基端部の可曲性のパイプ部に復帰可能なコイルばねを設けて、容器に沿ってカバーキャップのパイプ係止具に格納状態に係止し、その離脱によりコイルばねの弾性復帰力で自動的に前方を向く使用位置にセットされるのが周知である。
【０００４】
【発明が解決しようとする課題】
しかしながら、この場合には、使用位置に正確にセットさせようとすると、弾性を持たせる長尺ノズル自体の構造或いは格納及び使用位置双方で弾性に抗して拘束する構造が複雑になる問題が生じる。
【０００５】
本発明は、このような点に鑑みて、スライド操作により使用位置にセットし得る長尺ノズル付噴射ボタンを提供することを目的とする。
【０００６】
【課題を解決するための手段】
本発明は、この目的を達成するために、請求項１により、容器頭部から突出する吐出パイプに基端部で嵌着する縦方向の中心流路部が内部に形成された噴射ボタン本体に、不使用時には容器側に格納され、使用時には容器周面から前方へ突出する使用位置にセットされる長尺ノズルが付設されることにより、噴射ボタン本体の押下げ操作により内容物を長尺ノズル先端の噴射口から前方へ噴射を行う長尺ノズル付噴射ボタンにおいて、噴射ボタン本体の両側の側面をカバーする両側の側壁部を備えたカバー体が、容器頭部に装着され、噴射ボタン本体に、中心流路部の上端の前後に形成されて前後方向に延び、かつ中心流路部に連通して後端が閉鎖されたガイド溝が形成され、長尺ノズルが、ガイド溝にシール状態でスライド可能にガイドされるスライドパイプと、先端部がスライドパイプの先端部に連結されてスライドパイプに沿って延在することにより、噴射ボタン本体の上面部をカバーし、かつ前後方向へスライド可能に側壁部にガイドされたスライド操作片とを備え、このスライド操作片が前方へスライド操作されると、スライドパイプが連動して使用位置にセットされると共に、上面部が開放され、この上面部が押下げ操作されると、中心流路部、ガイド溝及びスライドパイプ内を経由してスライドパイプ先端の噴射口から噴射が行われることを特徴とする。
【０００７】
不使用状態では、スライドパイプがガイド溝に収納されると共に、スライド操作片により、噴射ボタン本体の上面部がカバーされ、その押下げ操作が不能になっている。使用に際して、スライド操作片を前方へスライド操作すると、スライドパイプが、容器周面から前方へ突出すると共に、噴射ボタン本体の上面部が開放されて押下げ操作が可能となる。
【０００８】
【発明の実施の形態】
図１乃至図４を基に本発明の実施の形態の一例による長尺ノズル付噴射ボタンを説明するもので、目金蓋４に装着されたマウンティングカップ２の内部に設けられた弁機構から上方付勢状態で突出する吐出パイプであるバルブステム３に嵌着する噴射ボタン本体１０と、エアゾール容器１の肩部に装着された目金蓋４の巻締め部４ａに外嵌合し、かつ容器頭部をカバーし、さらに上方で互いに離間して噴射ボタン本体１０の側面を両側でカバーするカバー体２０と、不使用時にはカバー体２０内に格納され、使用時にはエアゾール容器１の周面よりも前方へ突出する位置にセットされて、噴射ボタン本体１０の押下げ操作により内容物の吐出を行う長尺ノズル３０とより構成されている。
【０００９】
噴射ボタン本体１０は、基端部でステムバルブ３に嵌着する嵌着部１１ａを有する縦方向の中心流路部１１と、その上端に中間位置で交差連通してエアゾール容器１の直径に略対応した範囲で前後方向に延びる直方体状の横断流路部１６とでＴ字形に構成されると共に、その下方領域は直方体状の周面部１４で包囲されている。横断流路部１６には後述のガイドパイプ１５を嵌入させるように、後端が閉鎖された断面円形の収納溝１３が形成されている。
【００１０】
この収納溝には、ガイド溝を構成するガイドパイプ１５が嵌入されると共に、その長さは、フランジ状ヘッド部１５ａが収納溝１３の先端周面に当接した状態で、収納溝１３の後端部に隙間１５ｃを残す長さに設定されている。ガイドパイプ１５の前半部は、収納溝１３の周面にシール状態で係合すると共に、その係合溝１３ａに突起部が係止されている。また、別体のガイドパイプ１５は、その後半部の外径が小さくされることにより、隙間１５ｃに連通する環状の流路１５ｂを収納溝１３の内周面間に形成可能にしている。
【００１１】
カバー体２０は、巻締め部４ａに外嵌合してエアゾール容器１の肩部及びマウンティングカップ２の周囲をカバーする円筒状の基部２１及びその上方へ続いて噴射ボタン本体１０の側面をカバーする両側の側壁部２２を備えている。この側壁部は、図３に示すように、基部２１と同一曲面状の外周面２２ａと、隙間を置いて横断流路部１６の両側の側面に沿った互いに平行な平坦面状の内周面２２ｂと、これらにより形成される空間をカバーする上面部２２ｃとを備えている。基部２１の上部の前後には、両側の側壁部２２間を部分的に連結するフランジ部２４、２４ｂが形成されている。その前側のフランジ部２４は、噴射ボタン本体１０の前部の周面部１４の下端とインテグラルヒンジ部２４ａを介して連結されている。即ち、噴射ボタン本体１０は、合成樹脂によりカバー体２０と一体に揺動式に形成されている。
【００１２】
長尺ノズル３０は、ガイドパイプ１５にシール状態でスライド可能に収納されるスライドパイプ３３と、その先端部を係入させて噴射口３１を有する噴口部材３２と、カバー体２０の上端部における内周面２２ｂ及び上面部２２ｃのコーナ部に形成された両側の階段状のガイドレール２５に沿って前後にスライド操作されるプレート状のスライド操作片３５とより構成されている。その前端でＬ字形に折曲げられた前面部３６に形成されその係合孔３６ａには、噴口部材３２の外周に形成された係合溝３２ａを係合させることにより、噴口部材３２はスライド操作片３５に組付けられる。
【００１３】
これにより、スライドパイプ３３がガイドパイプ１５に収納された状態で、スライド操作片３５は、その先端部が連結されたスライドパイプ３３に沿って延在し、噴射ボタン本体１０の上面部１８をカバーする。スライド操作片３５の後端部には、指をセットするための凹部３５ａが形成されている。さらに、スライド操作片３５の後端の両側には、ガイドレール２５の側面に付設されたガイド溝２５ａに沿ってスライドする突起３９が形成され、ガイド溝２５ａの前端に形成されたストッパ２５ｂで拘束されるようになっている。
【００１４】
このように構成された長尺ノズル付噴射ボタンの動作は次の通りである。図１及び図２に示す不使用状態では、噴口部材３２はエアゾール容器１の周面よりも前方に僅かに突出した位置を占め、スライドパイプ３３の後端がガイドパイプ１５の後端位置を占めると共に、横断流路部１６の上面部１８の全域がスライド操作片３５によりカバーされ、その押下げ操作は不能となっている。
【００１５】
使用時には、図４に示すように、凹部３５ａに指を当ててスライド操作片３５を前方へ押して、その突起３９がガイド溝２５ａの前端に形成されたストッパ２５ｂで拘束されるまで前進させると、スライドパイプ３３はガイドパイプ１５にシール状態でガイドされて前進し、噴口部材３２はエアゾール容器１の周面よりも前方へその略直径に相当する長さだけ突出する位置にセットされる。
【００１６】
この使用可能位置で、スライド操作片３５の前進により、噴射ボタン本体１０の上面部１８の上方が開放され、この上面部を押下げ操作すると、噴射ボタン本体１０がインテグラルヒンジ部２４ａを支点として下方へ揺動し、バルブステム３が押下げられる。これにより、内容物が流路１５ｂを経由して隙間１５ｃからスライドパイプ３３の後端に流入し、噴射口３１から噴射される。その際、長尺ノズル３０は、隙間へ挿入されて狭い領域へ殺虫剤等が噴射可能となり、また隙間での使用に限らず、スライド方向へ直線状に延びることにより、害虫或いはその他の噴射対象物へ向けて噴射方向の狙いを定めることができる。中心流路部１１及び隙間１５ｃ間が流路１５ｂで連通して、ガイドパイプ１５の後端からその内部に内容物が流入することにより、スライド操作片３５の操作位置の途中でも上面部１８が押下げ操作が可能になるように開放されると、前方へ直ちに噴射可能となる。
【００１７】
尚、本発明は、噴射ボタン本体がカバー体と別体になっている昇降式の噴射ボタンに対しても当然適用される。さらに、エアゾール容器のバルブステムに代えて、ポンプ付き容器の吸出しピストン等の吐出パイプに装着させるように構成することもできる。
【００１８】
【発明の効果】
請求項１の発明によれば、長尺ノズルをスライド式に使用位置にセットすることにより、シール構造の構成が容易となり、また噴射方向のセットも正確に行われる。さらに、不使用時に、スライド操作片が噴射ボタン本体の操作面の上方をカバーすることにより、誤噴射も防止できる。その際、請求項２の発明によれば、スライド操作部の操作位置の途中でも上面部の押下げ操作が可能になれば直ちに噴射可能となる。
【図面の簡単な説明】
【図１】本発明の実施の形態による長尺ノズル付噴射ボタンの格納状態での断面図である。
【図２】同長尺ノズル付噴射ボタンの格納状態での平面図である。
【図３】同長尺ノズル付噴射ボタンの図１に対して直交方向の断面図である。
【図４】同長尺ノズル付噴射ボタンの使用状態を示すもので、同図Ａは平面図、同図Ｂは断面図である。
【符号の説明】
１　エアゾール容器
３　バルブステム
１０　噴射ボタン本体
１１　中心流路部
１５　ガイドパイプ
１８　噴射ボタン本体の上面部
２０　カバー体
２２　側壁部
２５　ガイドレール
３０　長尺ノズル
３１ａ　噴射口
３３　スライドパイプ
３５　スライド操作片
【図１】
2004051171.tif 000003
【図２】
2004051171.tif 000004
【図３】
2004051171.tif 000005
【図４】
2004051171.tif 000006